Podtech/llm-jp-corpus-v4-ja_patent huggingface dataset:
(57)【要約】　　　（修正有）【課題】ランプソケット２０の破損等による交換作業性を阻害することなく、ランプソケット２０取付け構造を提供する。【解決手段】長尺な器具本体はその長手方向端部に端板１１を具備する。前記端板１１の二箇所に互いに並行な一対の係止用スリット１２を形成する。ランプソケット２０に一対の取付け脚２１を形成する。前記各取付け脚２１を前記係止用スリット１２に沿ってスライドさせ、それによって前記ランプソケット２０を該ソケット２０の基部平たん面２２が前記端板１１の内面に接し前記各取付け脚２１が前記係止用スリット１２に着脱自在に係合する。【選択図】　　図１
2004127861.tif 000002
【特許請求の範囲】
【請求項１】
長尺な器具本体を備え、前記器具本体はその長手方向端部に端板を具備し、前記端板の二箇所に互いに並行な一対の係止用スリットを形成し、ランプソケットを備え、前記ランプソケットに一対の取付け脚を形成し、前記各取付け脚を前記係止用スリットに沿ってスライドさせ、それによって前記ランプソケットを該ソケットの基部平たん面が前記端板の内面に接し前記各取付け脚が前記係止用スリットに着脱自在に係合し、
前記係合に伴って前記ランプソケットの基部平たん面の片側寄りの位置に形成したスライド阻止用突起部が前記端板の対応箇所に形成した突起受部と着脱自在に係合する蛍光灯器具のランプソケット取付け構造において、
前記端板の前記内面における一対の前記係止用スリットの間の位置に隆起部を形成し、前記ランプソケットにおける基部平たん面に該ランプソケットを前記スライドさせる直前の段階では前記隆起部を跨ぐ肉盗み部を形成し、
前記隆起部により前記ランプソケットに前記スライド阻止用突起部・突起受部の係合を保持する向きの回転モーメントを付与したことを特徴とする蛍光灯器具のランプソケット取付け構造。
【発明の詳細な説明】
【０００１】
【発明の属する技術分野】
本発明は蛍光灯器具におけるランプソケット取付構造に関する。
【０００２】
【従来の技術】
従来のランプソケットに一対の取付け脚を形成し、前記各取付け脚を器具両端の設けられた端板にある係止用スリットに沿ってスライドさせ、それによって前記ランプソケットを該ソケットの基部平たん面が前記端板の内面に接し前記各取付け脚が前記係止用スリットに着脱自在に係合し、前記係合に伴って前記ランプソケットの基部平たん面の片側寄りの位置に形成したスライド阻止用突起部が前記端板の対応箇所に形成した突起受部と着脱自在に係合する蛍光灯器具のランプソケット取付け構造において、ランプ取り外し時における、前記取付け脚が前記係止用スリットに沿ってスライドする方向に対して垂直にかかるランプの引き抜き力により前記スライド阻止用突起部が浮きあがり前記端板の対応箇所に形成した突起受部より外れ前記ランプソケットが前記係止用スリットに沿ってスライドし外れやすかった。
【０００３】
【発明が解決しようとする課題】
前記従来の技術にあるようなランプ引き抜き力により、ランプソケットの外れつことに鑑み、本発明は機械的に固定してしまいランプソケットの破損等による交換作業性を阻害することなく、ランプソケットが外れないようにするものである。
【０００４】
【課題を解決するための手段】
ランプソケット取付け脚を支点とし、前記ライド阻止用突起部を前記突起受部に押し付けるようにし容易に前記スライド阻止用突起部が容易に突起受部より外れない構造をとる。
【０００５】
【発明の実施の形態】
図１・図２を用いて本発明の実施形態について説明する。図示の構造は長尺な器具本体１０を備える。前記器具本体１０はその長手方向端部に端板１１を具備する。前記端板１１の二箇所に互いに並行な一対の係止用スリット１２を形成する。ランプソケット２０を備える。前記ランプソケット２０に一対の取付け脚２１を形成する。前記各取付け脚２１を前記係止用スリット１２に沿ってスライドさせ、それによって前記ランプソケット２０を該ソケット２０の基部平たん面２２が前記端板１１の内面に接し前記各取付け脚２１が前記係止用スリット１２に着脱自在に係合する。
前記係合に伴って前記ランプソケット２０の基部平たん面２２の片側寄りの位置に形成したスライド阻止用突起部２３が前記端板１１の対応箇所に形成した突起受部１３と着脱自在に係合する。そのような蛍光灯器具のランプソケット取付け構造を前提とする。
前記端板１１の前記内面における一対の前記係止用スリット１２の間の位置に隆起部１４を形成する。前記ランプソケット２０における基部平たん面２２に該ランプソケット２０を前記スライドさせる直前の段階では前記隆起部１４を跨ぐ肉盗み部２４を形成する。
前記隆起部１４により前記ランプソケット２０に前記スライド阻止用突起部２３・突起受部１３の係合を保持する向きの回転モーメントを付与する。
前記スライド阻止用突起部２３・突起受部１３の係合はランプ取外し時の引張り力により容易に外れず前記回転モーメントの調節によりランプソケット交換時人為的に前記スライド阻止用突起部２３・突起受部１３の係合を解除できるので、ランプソケット交換性を阻害することはない。
【０００８】
【発明の効果】
本発明は以上に説明したように構成されている為以下に記載される効果を奏する。前記スライド阻止用突起部・突起受部の係合はランプ取外し時の引張り力により容易に外れず前記回転モーメントの調節によりランプソケット交換時人為的に前記スライド阻止用突起部・突起受部の係合を解除できるので、ランプソケット交換性を阻害することばない。
【図面の簡単な説明】
【図１】本発明の構成図である。
【図２】そのランプソケット取付け状態を説明する説明図であり、（ａ）は取り付け始め時、（ｂ）は取り付け完了時の状態である。
【符号の説明】
１０：器具本体、１１：端板、１２：係止用スリット、１３：突起受部、１４：隆起部、２０：ランプソケット、２１：取付け脚、２２：基部平たん面、２３：スライド阻止用突起、２４：肉盗み部
【図１】
2004127861.tif 000003
【図２】
2004127861.tif 000004
(57)【要約】【課題】導電性のない合成樹脂製連結具の器具取付側に尊電性の接触面を設けることにより連結具を器具に取付連結した際、器具間の電気的接続を可能とする。【解決手段】無安定器形蛍光灯器具とそれに隣接する有安定器形蛍光灯器具との端相互間に跨がって端相互を着脱自在に連結する合成樹脂製の連結具１０を備える。前記連結具１０の中央部に前記器具相互間の器具間配線を着脱自在に留める配線ホルダを一体に形成する。前記連結具１０に前記器具相互間の器具本体２０を電気的に接続する接地配線路を形成する。【選択図】　　図１
2004127869.tif 000002
【特許請求の範囲】
【請求項１】
複数の長尺な蛍光灯器具を備え、前記各蛍光灯器具をその長手方向に沿って一列に並べて天井面へ直付けするライン形照明装置において、前記各蛍光灯器具の少なくとも一つは蛍光灯用安定器を内蔵しない無安定器形蛍光灯器具であり、前記無安定器形蛍光灯器具に隣接する前記蛍光灯器具の一つは蛍光灯用安定器を内蔵する有安定器形蛍光灯器具であり、前記無安定器形蛍光灯器具とそれに隣接する前記有安定器形蛍光灯器具との端相互間に跨がって端相互を着脱自在に連結する合成樹脂製の連結具を備え、前記連結具の中央部に前記器具相互間の器具間配線を着脱自在に留める配線ホルダを一体に形成し、前記連結具に前記器具相互間の器具本体を電気的に接続する接地配線路を形成したことを特徴とするライン形照明装置。
【発明の詳細な説明】
【０００１】
【発明の属する技術分野】
本発明は複数の長尺な蛍光灯器具を備え、前記各蛍光灯器具をその長手方向に沿って一列に並べて天井面へ直付けするライン形照明装置に関するものである。特にその無安定器形蛍光灯器具と有安定器形蛍光灯器具との端相互間を着脱自在に連結する連結手段に関するものである。
【０００２】
【従来の技術】
従来は、大量生産、廃棄面から合成樹脂製連結具により器具間を連結していたが、器具間の電気的接続が得られなかった。
【０００３】
【発明が解決しようとする課題】
従来技術は、導電性のない合成樹脂製連結具により器具間を連結していたため、連結器具間での電気的接続が得られず、インバータ式２連結器具の連結の際、インバータ内蔵器具と非内蔵器具の連結において雑音端子電圧が上昇傾向にあつた。
本発明では、導電性のない合成樹脂製連結具の器具取付側に尊電性の接触面を設けることにより連結具を器具に取付連結した際、器具間の電気的接続を可能とすることを目的とする。
【０００４】
【課題を解決するための手段】
上記目的を達成するために、合成樹脂製連結具の器具取付面に導電性塗料を塗布した押出接触面を設けることにより、器具に取付連結した際に、別部品を用いることなく両器具本体を電気的に接続することが可能となる。又、連結具背面に器具内蔵部品固定等のネジ頭より高さのある押出しを設けることにより、器具本体を天井面に締め上げ取り付けた際、連結具接触面の器具本体への密着効果が得られる。
【０００５】
【発明の実施の形態】
本発明の実施例は第１、２図に示すように、器具本体２０の取付穴２に嵌合する接続部１２と本体１１よりなる連結具１０に、器具本体２０に嵌合時に接触面となる導電性塗料を塗布した押出し１３および、連結具本体１１の背面押出し１４により構成される。連結具１０の押出し１３は面押出しとすることにより、器具本体２０へ取付時に両接触し連結する器具本体間の電気的導通をとることが可能となる。又、連結具本体１１の背面に押出し１４を設けることにより、器具本体を天井面５０に締め上げ取り付けた際、押出し１３が器具本体２０に密着し、面接触を確実なものとする。
【０００６】
【発明の効果】
本発明によれば、合成樹脂製の連結具による器具連結において、別部品を用いることなく、器具間を電気的接続する効果が得られる。
【図面の簡単な説明】
【図１】本発明連結具使用例である。
【図２】本発明連結具詳細図である。
【符号の説明】
１０：連結具、１１：連結具本体、１２：接続部、１３：接触面押出し、１４：背面押出し、２０：器具本体、２１：連結具取付穴、３０：反射板、４０：ランプ、５０：天井面
【図１】
2004127869.tif 000003
【図２】
2004127869.tif 000004
(57)【要約】　　　（修正有）【課題】高周波点灯装置による点灯で発生する雑音端子電圧の値を低減する。【解決手段】反射板取付金具２０に上受け孔２５を形成する。反射板４０に下受け孔４５を形成する。ターンファスナ３０に上側の導電性係合部３１と中間の絶縁性係合部３５と下側の絶縁性つまみ部３８を形成する。前記導電性係合部３１は前記上受け孔２５と着脱自在に係合する。前記絶縁性係合部３５は前記・下受け孔４５と着脱自在に係合する。前記絶縁性つまみ部３８は前記反射板４０における前記下受け孔４５付近の下面と接合する。前記ターンファスナ３０における絶縁性係合部３５の箇所に前記暮電性係合部３１と連なる接続面３６を形成する。【選択図】　　図１
2004127863.tif 000002
【特許請求の範囲】
【請求項１】
器具本体を備え、前記器具本体の下面側に固定する反射板取付金具を備え、それらの下面側に配置する反射板を備え、前記反射板を前記反射板固定金具に着脱自在に取付ける回転引掛け形のターンファスナを備え、
前記反射板取付金具に上受け孔を形成し、前記反射板に下受け孔を形成し、前記ターンファスナに上側の導電性係合部と中間の絶縁性係合部と下側の絶縁性つまみ部を形成し、前記導電性係合部は前記上受け孔と着脱自在に係合し、前記絶縁性係合部は前記下受け孔と着脱自在に係合し、
前記ターンファスナの垂直軸回りの第一水平回転位相においては前記導電性係合部は前記上受け孔と係合し、前記第一水平回転位相とは異なる第二水平回転位相においては前記導電性係合部・上受け孔間の係合は解除し、前記第二水平回転位相においては前記絶縁性係合部は前記下受け孔と係合し、前記第一水平回転位相および第二水平回転位相とは異なる第三水平回転位相においては前記絶縁性係合部・前記下受け孔間の係合は解除し、前記絶縁性つまみ部は前記反射板における前記下受け孔付近の下面と接合し、
前記ターンファスナにおける絶縁性係合部の箇所に前記導電性係合部と異なる接続面を形成し、前記第一水平回転位相において前記接続面は前記下受け孔の孔緑に圧接し、前記第三水平回転位相においては前記圧接が解除されるように前記接続面の位置を定めたことを特徴とする蛍光灯器具における反射板取付け装置。
【発明の詳細な説明】
【０００１】
【発明の属する技術分野】
本発明ば蛍光灯器具における反射板取付け装置に関する。
【０００２】
【従来の技術】
従来の技術では、着脱自在なターンファスナーでの反射板取付において、器具本体と反射板の導通は取られていない。
【０００３】
【発明が解決しようとする課題】
前記従来技術では、着脱自在なターンファスナーで器具本体に反射板を取り付けた状態において、器具本体と反射板の導通が取られていなく、高周波点灯装置による点灯で発生する雑音端子電圧の値が高く、製品化が困難な場合があつた。本発明は、着脱自在なターンファスナーで器具本体に反射板を取り付けた状態において、前記器具本体と反射板の導通を取ることによって、高周波点灯装置による点灯で発生する雑音端子電圧の値を低減することにある。
【０００４】
【課題を解決するための手段】
前記目的を達成するために、着脱自在なターンファスナーを介し器具本体と反射板の導通を取る着脱自在なターンファスナーを反射板に取り付け、水平方向に回転させ前記反射板に仮止めする。次にその状態で器具本体に反射板をとりつける。この時器具本体に装着された反射板取付金具に設けられた取付穴を前記ターンファスナーの取付部が通過し、前記ターンファスナーを更に水平方向に回転させることによって、前記反射板取付金具に設けられた取付穴に前記ターンファスナーの取付部が係合し、同時に前記ターンファスナーにもうけられた接合部が、前記反射板に設けられた前記ターンファスナーが通過する取付六の断面部に接合し前記器具本体と前記ターンファスナーと前記反射板が導通可能な状態で取り付く。このように前記ターンファスナーの前記反射板への取り付け、前記ターンファスナーの前記反射板への仮止め、前記器具本体への反射板の取り付けで、それぞれ前記タンファスナーの水平方向の回転角度を異ならせ、前記器具本体への反射板の取り付け時のみ前記ターンファスナーに設けられた接合部が、前記反射板に設けられた前記ターンファスナーが通過する取付穴の断面部に接合するため、水平方向の回転を阻害することはない。
【０００５】
【発明の実施の形態】
図１・図２を用いて、本発明の実施形態について説明する。図示装置は器具本体１０を備える。前記器具本体１０の下面側に固定する反射板取付金具２０を備える。それらの下面側に配置する反射板４０を備える。前記反射板４０を前記反射板固定金具２０に着脱自在に取付ける回転引掛け形のターンファスナ３０を備える。
前記反射板取付金具２０に上受け孔２５を形成する。前記反射板４０に下受け孔４５を形成する。前記ターンファスナ３０に上側の導電性係合部３１と中間の絶縁性係合部３５と下側の絶縁性つまみ部３８を形成する。前記導電性係合部３１は前記上受け孔２５と着脱自在に係合する。前記絶縁性係合部３５は前記・下受け孔４５と着脱自在に係合する。
前記ターンファスナ３０の垂直軸回りの第一水平回転位相においては前記薄電性係合部３１は前記上記受け孔２５と係合する。前記第一水平回転位相とは異なる第二水平回転位相においては前記導電性係合部３１・上受け孔２５間の係合は解除する。前記第二水平回転位相においては前記絶縁性係合部３５は前記下受け孔４５と係合する。前記第一水平回転位相および第二水平回転位相とは異なる第三水平回転位相においては前記絶縁性係合部３５・前記下受け孔４５間の係合は解除する。前記絶縁性つまみ部３８は前記反射板４０における前記下受け孔４５付近の下面と接合する。
前記ターンファスナ３０における絶縁性係合部３５の箇所に前記暮電性係合部３１と連なる接続面３６を形成する。前記第一水平回転位相において前記接続面３６は前記下受け孔４５の孔緑に圧接する。前記第三水平回転位相において前記圧接が解除される。
【０００８】
【発明の効果】
本発明は以上に説明したように構成されているため以下に記載されるような効果を奏する。ターンファスナーの反射板への取付時、反射板への仮止め時、器具本体に装着された反射板取付金具への装着時の水平回転位相をそれぞれ異ならせることにより、水平回転操作を妨げることなく、反射板取付金具への取付時のみ器具本体に装着された反射板取付金具、ターンファスナー、反射板を導通させることができ、高周波点灯装置により発生する雑音端子電圧を低減できる。
【図面の簡単な説明】
【図１】本発明装置の要部を示す分解斜視図である。
【図２】その水平回転位相を説明する説明図である。
【符号の説明】
１０：器具本体、２０：反射板取付金具、４０：反射板、３０：ターンファスナ、２５：上受け孔、４５：下受け孔、３１導電性係合部、３５：絶縁性係合部、３８：つまみ部
【図１】
2004127863.tif 000003
【図２】
2004127863.tif 000004
(57)【要約】【課題】ランプソケット３０の固定方法をソケット台を削除・組立作業の簡素化によることによる原価低減および、照明器具本体１０より外面に突起する部分の破損原因をなくすことを目的とする。【解決手段】長尺な器具本体１０を備える。前記器具本体１０はその長手方向端部に端板２０を具備する。前記端板２０の二箇所を器具本体１０内側に切り起こして相対向する一対の支持片２１を形成する。前記各支持片２１の一部を相手形支持片２１方向へ切り起こして弾性係合片２２を形成する。一対の前記支持片２１の間に隙間なく収まる横幅のランプソケット３０を備える。前記ランプソケット３０の各側面に前記支持片２１に当接しかつ前記弾性係合片２２と弾性的に係合する係合部を形成し、前記係合部を前記支持片２１および弾性係合片２２に対して係合する。【選択図】　　図１
2004127868.tif 000002
【特許請求の範囲】
【請求項１】
長尺な器具本体を備え、前記器具本体はその長手方向端部に端板を具備し、前記端板の二箇所を器具本体内側に切り起こして相対向する一対の支持片を形成し、前記各支持片の一部を相手形支持片方向へ切り起こして弾性係合片を形成し、
一対の前記支持片の間に隙間なく収まる横幅のランプソケットを備え、前記ランプソケットの各側面に前記支持片に当接しかつ前記弾性係合片と弾性的に係合する係合部を形成し、前記係合部を前記支持片および弾Ｉ生係合片に対して係合したことを特徴とする蛍光灯器具のランプソケット取付け構造。
【発明の詳細な説明】
【０００１】
【発明の属する技術分野】
本発明は照明器具のランプソケット取付け構造に関する。
【０００２】
【従来の技術】
従来のランプソケット取付け構造は図４・図５に示すよう照明器具本体１　０にランプソケット６０を固定する為のソケット台５０を設け、ランプソケット６０に形成されたスリット６１をソケット台５０の切欠きにより形成されたレール５１に挿入しランプソケットの固定をおこなう方法および、図６・図７に示すようランプソケット８０の突起部８１を照明器具本体端板７０に形成された取付穴７に挿入し固定する方法などがあつた。
【０００３】
【発明が解決しようとする課題】
本発明の目的は前記従来技術の問題となっていた、原価面で割高なソケット台の廃止および、ランプソケットの突起部が照明器具本体端板より突き出ることによる照明器具本体の天井取付時にランプソケット突起部の破損を防止する固定方法を考案することにある。
【０００４】
【課題を解決するための手段】
照明器具本体端板の内側に形成された切り起こしに支持片を形成し、ランプソケットの側面で弾性的に係合し本体端板に固定し上記問題点を解決すると共に、組立作業を簡素化する。
【０００５】
【発明の実施の形態】
図１〜図３を用いて、本発明の実施形態について説明する。図示のランプソケット取付け構造は長尺な器具本体１０を備える。器具本体１０はその長手方向端部に端板２０を具備する。端板２０にランプソケット３０を固定するための器具本体１０内側に切り起こされた一対のランプソケット３０の横幅に隙間なく収まる間隔の支持片２１を形成する。各支持片２１の一部に相手形支持片２１の方向へ切り起こしてランプソケット３０側面に弾性的に係合することができる弾性係合片２２を形成する。ランプソケット３０側面には弾性係合片２２が弾性変形することにより通過を許容する挿入溝３１・弾性係合片２２に係合する係合孔３２を形成する。
ランプソケット３０の固定方法はランプソケット３０をＡ方向に圧入することにより、弾性係合片２２が弾性変形をともないランプソケット挿入溝３１の通過を許容し、弾性係合片２２がランプソケット係合孔３２まで達すると支持片２１に形成された弾性係合片２２に対して係合されランプソケット３０の取付けを可能とする構造とする。
また、前記ランプソケット３０の上面端部３３を裾広がり形状とすることによりランプソケット３０の横幅に隙間なく収まる間隔で形成された支持片２１への挿入を容易にし、かつ挿入溝３１は支持片２１への挿入時のＢ方向に対し挿入時のガイドとなり固定時の作業を容易にする。
【０００８】
【発明の効果】
本発明によれば、ランプソケットの固定方法をソケット台を削除・組立作業の簡素化によることによる原価低減および、照明器具本体より外面に突起する部分の破損原因をなくすことによる製品の信頼性向上が計れる。
【図面の簡単な説明】
【図１】本考案技術を示す断面図である。
【図２】本考案技術を示す部分斜視図である。
【図３】本考案技術を示す部分断面図である。
【図４】従来技術▲１▼を示す断面図である。
【図５】従来技術▲１▼を示す斜視図である。
【図６】従来技術▲２▼を示す断面図である。
【図７】従来技術▲２▼を示す斜視図である。
【符号の説明】
１０：器具本体、２０：器具本体長手方向端部に具備された端板、２１：端板に形成された支持片、２２：支持片に形成された弾性係合片、３０：ランプソケット、３１：ランプソケット側面に形成された挿入溝、３２：ランプソケット側面に形成された係合孔、３３：ランプソケット上面の裾広がりな形状、５０：従来技術▲１▼のソケット台、５１：ソケット台５０に形成されたレール、６０：従来技術▲１▼のランプソケット、６１：ランプソケット６０に形成されたスリット、７０：従来技術▲２▼の器具本体は長手方向端部に具備された端板、７１：端板７０に形成された取付孔、８０：従来技術▲２▼のランプソケット、８１：ランプソケット７１に形成された突起
【図１】
2004127868.tif 000003
【図２】
2004127868.tif 000004
【図３】
2004127868.tif 000005
【図４】
2004127868.tif 000006
【図５】
2004127868.tif 000007
【図６】
2004127868.tif 000008
【図７】
2004127868.tif 000009
(57)【要約】【課題】連結作業が容易にでき、また連結金具が本体と一体のため紛失することが無い製品を提供する。【解決手段】複数の長尺な蛍光灯器具を備える。前記各蛍光灯器具を一列に並べかつ天井面へ直付けするライン照明装置である。前記各蛍光灯器具における器具本体１０の端寄りの位置に回転形連結板１４を設ける。前記器具本体１０における前記回転形連結板１４の周囲に該回転形連結板１４の回転を許容するスリット２２を設ける。前記器具本体１０・回転形連結板１４間を一体にかつ僅かに繋ぐヒンジ部２０を設ける。前記回転形連結板１４の形状を前記ヒンジ部２０を中心にして該回転形連結板１４を回転させたときにその一端が隣の蛍光灯器具の器具本体１０へ届くように定める。前記回転形連結板１４の前記一端を隣の前記器具本体１０へ連接することを特徴とするライン照明装置。【選択図】　　図１
2004127862.tif 000002
【特許請求の範囲】
【請求項１】
複数の長尺な蛍光灯器具を備え、前記各蛍光灯器具を一列に並べかつ天井面へ直付けするライン照明装置において、
前記各蛍光灯器具における器具本体（１０）の端寄りの位置に回転形連結板（１４）を設け、前記器具本体（１０）における前記回転形連結板（１４）の周囲に該回転形連結板（１４）の回転を許容するスリット（２２）を設け、前記器具本体（１０）・回転形連結板（１４）間を一体にかつ僅かに繋ぐヒンジ部（２０）を設け、
前記回転形連結板（１４）の形状を前記ヒンジ部（２０）を中心にして該回転形連結板（１４）を回転させたときにその一端が隣の蛍光灯器具の器具本体（１０）へ届くように定め、前記回転形連結板（１４）の前記一端を隣の前記器具本体（１０）へ連接することを特徴とするライン照明装置。
【発明の詳細な説明】
【０００１】
【発明の属する技術分野】
本発明は複数の長尺な蛍光灯器具を備え、前記各蛍光灯器具を一列に並べかつ天井面へ直付けする方式のライン形照明装置に関するものである。特にその器具相互間の連接構造に関するものである。
【０００２】
【従来の技術】
従来の連結方法は、図３・図４に示す様に器具本体の係合部に連結金具の片方の係止部を挿入した後、天井面に器具本体で挟む様に固定し、もう片方の係止部に連結する器具本体の係合部を合わせて連結している。
以上説明のように連結金具が別部品であり器具本体の係合部に挿入するため連結作業に手間取る他、連結金具の費用もかかる。
【０００３】
【発明が解決しようとする課題】
本発明の目的は、前記従来技術の問題点となっていた問題を解決した器具を提供することにある。
【０００４】
【課題を解決するための手段】
上記目的を解決するため、連結金具に代わる構造を器具本体の長尺方向の両側の端寄りに成形した。
【０００５】
【発明の実施の形態】
本発明の実施形態を図１・図２を用いて説明する。図１・図２の器具は、安定器１００、ソケット台８０、ソケット６０等の部品を備えた器具本体１０及びそれを覆う反射板４０、前記反射板４０を本体１０に固定する止ネジ９０で構成しており、本体１０の長尺方向の両側の端寄りに回転形連結板１４を成形すると共にヒンジ部２０により本体１０に繋がっている。
実際の連結方法としては、回転形連結板１４をヒンジ部２０を支点にして伸ばし、次に回転形連結板１４に設けた係止部１６に連結する器具本体１０の係合部１８を合わせて天井に固定することで器具本体１０の連結ができる。
以上説明の様に別物の連結金具を本体１０に取り付けることなく連結作業が容易にできる他連結金具も必要ないのでコスト面に於いても有利である。
【０００６】
【発明の効果】
本発明によれば連結作業が容易にできる他連結金具が本体と一体のため紛失することが無い等の利点がある。
【図面の簡単な説明】
【図１】本発明の実施例の全体構成を示す分解斜視図
【図２】本発明の実施例を示す部分断面斜視図
【図３】従来技術を示す部分断面斜視図
【図４】従来技術の連結状態を示す部分断面側面図
【符号の説明】
１０；器具本体
１４；回転形連結板
１６；係止部
１８；係合部
２０；ヒンジ部
２２；スリット
４０；反射板
５０；連結金具
６０；ソケット
７０；蛍光ランプ
８０；ソケット台
９０；止ネジ
１００；安定器
１１０；天井
【図１】
2004127862.tif 000003
【図２】
2004127862.tif 000004
【図３】
2004127862.tif 000005
【図４】
2004127862.tif 000006
(57)【要約】【課題】スタンド全体を安定させるためのウエイト用バランサを金属部品等で作り装着しなければならないという負担を緩和する。【解決手段】マイナスイオン発生器２１を備える。マイナスイオンを送風するためのファンモータ３１を備える。前記ファンモータ３１を駆動するためのトランス（ダウントランス）３２を備える。このトランス３２を、平坦面上に載置するスタンドベース４内に配置する。【選択図】　　図１
2004127865.tif 000002
【特許請求の範囲】
【請求項１】
マイナスイオン発生器を備え、マイナスイオンを送風するためのファンモータを備え、前記ファンモータを駆動するためのトランスを備え、このトランスを、平坦面上に載置するスタンドベース内に配置したことを特徴とするマイナスイオン発生器付き電気スタンド。
【発明の詳細な説明】
【０００１】
【発明の属する技術分野】
本発明はマイナスイオン発生器付き電気スタンドに関する。
【０００２】
【従来の技術】
従来はマイナスイオン発生器付き電気スタンドが照明器具として存在していなが、一般の電気スタンドにおいては、平坦面上に載置するスタンドベース内に金属製等のバランサを使用していた。これはとスタントとしての安定性を保持するためである。
【０００３】
【発明が解決しようとする課題】
上記従来技術は光源を収納しているセード部と、セード部を垂直方向に保持する支柱部と、支柱部を机等の平坦面上に載置するベース部から構成されており、このベース部にスタンド全体を安定させるためのウエイト用バランサを金属部品等で作り装着しなければならない問題点があった。
本発明は、マイナスイオンを送風するためのファンモータのトランスに着目し、ウエイト用バランサを不要とする。
【０００４】
【課題を解決するための手段】
上記目的を達成するために、マイナスイオンを送風するためのファンモータを駆動するトランスの配置を、平坦面上に載置するスタンドのベース内に配置し、これをウエイト用バランサとしても機能するようにしたものである。
【０００５】
【発明の実施の形態】
図１〜図４を用いて本発明の実施形態について説明する。図１は本発明によるマイナスイオン発生器付き白熱灯電気スタンドの縦断面図で、光源を収納しているセード１は上下に開閉する回動式である。ここで、図３はセード１が約４５度に開いた状態、図４は閉じた状態の斜視図である。
図示の電気スタンドはマイナスイオン発生器２１を備える。マイナスイオンを送風するためのファンモータ３１を備える。前記ファンモータ３１を駆動するためのトランス（ダウントランス）３２を備える。このトランス３２を、平坦面上に載置するスタンドベース４内に配置する。以下、補足して説明する。
【０００６】
セード１は調節ねじ７を介し後ろカバー３と一体になっている本体８にジョイントされており、９０度の範囲で開閉する。ここで光源の点滅はセード１の開閉と連動しており、ランプスイッチ１３により閉じた状態から約２５度以上開いたときに点灯する。
マイナスイオン発生ユニットは本体８と後ろケース３の下部に収納している。具体的にはマイナスイオン発生器２１はマイナスイオン発生回路２２と電気的に接続されており本体８にねじ止係止されている。また、マイナスイオンを吹出し拡散させるファンモータ３１はマイナスイオン発生器２１の直後に配置し、ファンモータ３１を駆動するトランス３２と電気的に接続されており、いずれも本体８にねじ止係止されている。
【０００７】
本発明では、このトランス３２の配置をスタンドのバランサとして機能させるため、円筒形状の本体８の最下方でかつ、最も後方となる位置のベース４の中に設置するようにした。なお、バランスを保持するもう一方の手段は、スタンドを机等の平坦面上に載置するベース４の外径を本体８より大きくしている。ベース４の下面は底板４３によりカバーしている。
本配置による構造により、スタンドの安定性を確保するためのバランサが不用となり、コスト低減につながる。
【０００８】
【発明の効果】
本発明によれば、マイナスイオン発生器付き電気スタンドの安定性を確保するためのバランサが不用となり、コスト低減につながる。
【図面の簡単な説明】
【図１】本発明のマイナスイオン発生器付き白熱灯電気スタンドの縦断面（図２のＡ−Ａ断面図）である。
【図２】同上スタンドの正面図で、セードが９０度開いた状態である。
【図３】同上スタンドの斜視図で、セードが約４５度開いた状態である。
【図４】同上スタンドの斜視図で、セードが閉じた状態である。
【符号の説明】
１…セード、２…前ケース、３…後ろカバー、４…ベース、５…マイナスイオンスイッチ、６…マイナスイオン吹出し口、７…調節ねじ、８…本体、１３…ランプスイッチ、２１…マイナスイオン発生器、２２…マイナスイオン発生回路、３１…ファンモータ、３２…トランス、４３…底板
【図１】
2004127865.tif 000003
【図２】
2004127865.tif 000004
【図３】
2004127865.tif 000005
【図４】
2004127865.tif 000006
(57)【要約】【課題】四角形の各辺の中央部付近と、各隅部付近では肉厚の差が大きくなるという難点を緩和する。【解決手段】合成樹脂製板を圧力空気により金型表面に添うように変形させ成型する圧空成型品である。透光性のグローブ状を呈する照明器具用のグローブである。前記グローブの輪郭形状を四角形とし、前記四角形の各辺の中央部付近にひだ状模様２４を形成する。前記四角形の各隅部付近にひだ状模様２４を設けない。前記ひだ状模様２４をグローブ１素材の波形変形による模様とする。【選択図】　　図１
2004127866.tif 000002
【特許請求の範囲】
【請求項１】
合成樹脂製板を圧力空気により金型表面に添うように変形させ成型する圧空成型品であって、透光性のグローブ状を呈する照明器具用のグローブにおいて、
前記グローブの輪郭形状を四角形とし、前記四角形の各辺の中央部付近にひだ状模様（２４）を形成し、前記四角形の各隅部付近にひだ状模様（２４）を設けず、前記ひだ状模様（２４）をグローブ（１）素材の波形変形による模様としたことを特徴とする照明器具用グローブ。
【発明の詳細な説明】
【０００１】
【発明の属する技術分野】
本発明は、圧空成形により成形する大形で角形の、照明器具用グローブに関する。
【０００２】
【従来の技術】
従来の圧空成形により成形する大形で角形の照明器具用グローブについては、コーナー部はグローブの中心位置より遠く、成形時の材料の伸びが最も大きくなる。このためコーナー部の肉厚が薄くなり、強度的に弱くなる欠点があった。
【０００３】
【発明が解決しようとする課題】
上記従来技術は、コーナー部の肉厚が薄くなり、強度的に弱くなる点に関して配慮がされておらず、肉厚が薄くなるのを極力防止するため、コーナー部のかどアール（丸み）を大きくすることにより材料の延びをおさえるようにしている。この結果、大形で角形の照明器具用グローブが丸みを帯びた形状にせざるを得ず、デザイン的な制約があった。一方、コーナー部のかどアールを小さくするためには、材料のシート屋を厚くする必要がありコストアップにつながっていた。
本発明の目的はこれらの問題を解決することにある。
【０００４】
【課題を解決するための手段】
上記目的を達成するために、四角形の照明器具用グローブの下面平面部に、前記四角形の各辺の中央部付近にひだ状模様を形成し、前記四角形の各隅部付近にひだ状模様を設けず、前記ひだ状模様をグローブ素材の波形変形による模様を設けたものである。
【０００５】
【発明の実施の形態】
本発明の実施形態を図１〜図４を用いて説明する。図１は合成樹脂製板を圧力空気により金型表面に添うように変形させ成型する圧空成型品であって、透光性のグローブ状を呈する照明器具用のグローブ１の底面図である。図２はその側面図である。
このグローブ１の輪郭形状を四角形とし、前記四角形の各辺の中央部付近にひだ状模様２１をグローブ１の下面中央２２から放射状に形成し、前記四角形の各隅部付近は平滑面２３のままとしてひだ状模様２１を設けず、前記ひだ状模様２１をグローブ素材の波形変形による模様とした。
これにより、四角形状のグローブの場合、圧空成型時に四角形の各辺の中央部付近と、各隅部付近では肉厚の差が大きくなり各隅部付近が肉薄となりやすいのを軽減できる効果がある。また、前記肉厚の差が大きくなることによるランプ光の透過むらを目立ちにくくする効果もある。
なお、図３及び図４は類似の実施例を示すもので、前記四角形の各脚部付近に粗いひだ状模様２４を設け、前記四角形の各辺の中央部付近に設けたひだ状模様２１との意匠性を合わせたもので、前記図１の実施例と同効である。
【０００８】
【発明の効果】
本発明によれば、合成樹脂製板を圧力空気により金型表面に添うように変形させ成型する、圧空成型による四角形状の照明器具用のグローブの場合、圧空成型時に四角形の各辺の中央部付近と、各隅部付近では肉厚の差が大きくなり各隅部付近が肉薄となりやすいのを軽減できる効果がある。
また、前記肉厚の差が大きくなることによるランプ光の透過むらを目立ちにくくする効果もある。
【図面の簡単な説明】
【図１】本発明の照明器具用グローブの底面図である。
【図２】図１の側面図である。
【図３】本発明に係る他の実施例の照明器具用グローブの底面図である。
【図４】図３の側面図である。
【符号の説明】
１…グローブ、２１…ひだ状模様、２２…下面中央、２３…隈部平滑面、２４…隈部ひだ状模様
【図１】
2004127866.tif 000003
【図２】
2004127866.tif 000004
【図３】
2004127866.tif 000005
【図４】
2004127866.tif 000006
(57)【要約】【課題】器具の外郭にリセットスイッチ７の操作部を露出させず、簡単な工具によりリセットスイッチ７を操作できるようリセットスイッチ７を器具本体３内に設け、意匠性と操作性を改善する。【解決手段】長尺な器具本体３を備える。前記器具本体３の反射板４に沿って着脱自在に配置される直管形蛍光ランプ５を備える。前記器具本体３に制御回路を配置しる。前記制御回路は前記直管形蛍光ランプ５についての累積点灯時間を記録するメモリと該メモリに記録されている累積時間を参照して該累積時間が大きくなるに従って調光度を緩和するように制御する制御部１０と前記メモリの累積点灯時間のデータをリセットするリセットスイッチ７を含む。前記反射板４における前記直管形蛍光ランプ５に至近した位置に小孔６を形成しる。前記小孔６から細長い棒状の工具を差し込んで操作可能な位置に前記リセットスイッチ７を配置する。【選択図】　　図１
2004127867.tif 000002
【特許請求の範囲】
【請求項１】
長尺な器具本体を備え、前記器具本体の反射板に沿って着脱自在に配置される直管形蛍光ランプを備え、前記器具本体に制御回路を配置し、前記制御回路は前記直管形蛍光ランプについての累積点灯時間を記録するメモリと該メモリに記録されている累積時間を参照して該累積時間が大きくなるに従って調光度を緩和するように制御する制御部と前記メモリの累積点灯時間のデータをリセットするリセットスイッチを含み、
前記反射板における前記直管形蛍光ランプ５に至近した位置に小孔を形成し、前記小孔から細長い棒状の工具を差し込んで操作可能な位置に前記リセットスイッチ７を配置したことを特徴とする蛍光灯器具。
【発明の詳細な説明】
【０００１】
【発明の属する技術分野】
本発明は累積時間により、調光度を穏和する制御装置を内蔵した照明器具の、累積時間をリセットするため、反射板に設けたランプに至近した位置の小穴より、リセット工具で操作出来る位置に、リセットスイッチを設けた構造に関する。
【０００２】
【従来の技術】
従来は、リセットスイッチの操作部が外部から操作できるよう、セットスイッチの操作部を照明器具の外郭より露出させるか、器具の内部に設けたスイッチを、反射板を外し操作する構造となっており、リセットスイッチが外郭より露出している場合は、誤操作する可能性があった。
【０００３】
【発明が解決しようとする課題】
器具の外郭にリセットスイッチの操作部を露出させず、簡単な工具によりリセットスイッチを操作できるようリセットスイッチを器具本体内に設け、意匠性と操作性の改善をすることを目的とする。
【０００４】
【課題を解決するための手段】
上記目的を達成するため、累積時間をリセットするリセットスイッチの操作用小穴を、ランプに至近した位置の反射板に形成し、小穴から工具を差し込んで操作可能な位置にリセットスイッチを配置した構造としたものである。
【０００５】
【発明の実施の形態】
以下、本発明の一実施例を、図１〜４により説明する。照明器具の反射板４に、リセットスイッチ７を操作する、細長い棒状のリセット工具１が挿入できる小穴６を、ランプ団ご至近した（真上）位置に設ける。リセットスイッチ７は、小穴６より差し込んだリセット工具１で操作可能な位置の器具本体３の内部に設け、リセット工具１でリセットスイッチ７の操作が行なえるよう取り付けておく。リセットスイッチ７の操作は、ランプ５の寿命によりランプ５交換する時であるので、ランプを外した時にランプ５を使用し、リセットスイッチ７の操作を行い、照明器具使用時には、ランプ５が装着されているので、リセット工具１を差し込めないので、誤操作することがない。以上により、リセットスイッチ７の操作部が照明器具の外郭より露出せず、ランプ５を取り外し後、小穴６にリセット工具１を差し込んで、リセットスイッチ７の操作が行えるので、反射板４を外してリセットスイッチ７を操作する必要がなく、意匠性・操作性の改善と誤操作を無くすことが出来る。
【０００８】
【発明の効果】
本発明によれば、リセットスイッチの操作部が照明器具の外郭より露出せず、小穴よりリセット工具でリセットスイッチを操作するため、反射板を外してリセットスイッチを操作する必要がなく、器具使用時はリセット工具が差し込めない。以上により、意匠性・操作性の改善と誤操作が無いという効果がある。
【図面の簡単な説明】
【図１】本発明の照明器具の斜視図である。
【図２】本発明の照明器具使用時の断面図である。
【図３】本発明の照明器具にリセット工具を差し込み操作時の断面図である。
【図４】本発明の照明器具の制御装置を含む点灯装置の回路構成図である。
【符号の説明】
１−リセット工具、２−ソケット、３−器具本体、４−反射板、５−ランプ、６−小穴、７−リセットスイッチ、８−リセットスイッチ操作部、９−累積時間記録部、１０−調光制御部、１１−安定器、１２−点灯装置
【図１】
2004127867.tif 000003
【図２】
2004127867.tif 000004
【図３】
2004127867.tif 000005
【図４】
2004127867.tif 000006
(57)【要約】【課題】高照度化及び照射範囲の拡大を図る。【解決手段】器具本体１０とその下面側に水平に配置する複数の環状蛍光ランプ２０を備える。前記各環状蛍光ランプ２０は同心状に配置する大環発光管・小環発光管で一放電路を形成する二重環形の環状蛍光ランプである。前記環状蛍光ランプ２０に前記各発光管の環に沿った平面に対して直交する向きの各口金ピンを含む単一の口金部２１を設ける。前記器具本体１０の下面側周囲部に対応する前記口金部２１と着脱自在に結合する複数のランプソケット１１を固定する。前記器具本体１０の中央部から見たときに前記各環状蛍光ランプ２０における環中心が遠くに位置し前記口金部２１が近くに位置するように前記各環状蛍光ランプ２０の配置を定める。【選択図】　　図１
2004127879.tif 000002
【特許請求の範囲】
【請求項１】
器具本体とその下面側に水平に配置する複数の環状蛍光ランプを備える。前記各環状蛍光ランプは同心状に配置する大環発光管・小環発光管で一放電路を形成する二重環形の環状蛍光ランプであり、前記環状蛍光ランプに前記各発光管の環に沿った平面に対して直交する向きの各口金ピンを含む単一の口金部を設け、前記器具本体の下面側周囲部に対応する前記口金部と着脱自在に結合する複数のランプソケットを固定し、前記器具本体の中央部から見たときに前記各環状蛍光ランプにおける環中心が遠くに位置し前記口金部が近くに位置するように前記各環状蛍光ランプの配置を定めたことを特徴とする環状蛍光灯器具。
【発明の詳細な説明】
【０００１】
【発明の属する技術分野】
環状蛍光灯器具の構造に関する。
【０００２】
【従来の技術】
従来、環状蛍光灯器具は器具本体の中心と環状蛍光ランプ環中心とがほぼ同心であり、異なるワット数の環状蛍光ランプを同心上に複数配置し高照度化している。
【０００３】
【発明が解決しようとする課題】
従来、環状蛍光灯器具は、異なるワット数の環状蛍光ランプを器具本体の中心と同心上に複数配置して高照度化している為、照射範囲が狭かつた。本発明の目的は、高照度化及び照射範囲の拡大にある。
【０００４】
【課題を解決するための手段】
器具本体の下面側周囲部に複数のランプソケットを固定し、器具本体の中央部から見たときに各環状蛍光ランプにおける環中心が遠くに位置し口金部が近くに位置するように各環状蛍光ランプを配置する。これにより、各環状蛍光ランプが器具本体の中心から放射状に配置され、各環状蛍光ランプ環中心が器具本体の中心より外側に位置する。よって、照射範囲の拡大が可能となる。
【０００５】
【発明の実施の形態】
第１図に示す、器具本体１０とその下面側に水平に配置する複数の環状蛍光ランプ２０を備え、各環状蛍光ランプは同心状に配置する大環発光管・小環発光管で一放電路を形成する二重環形の環状蛍光ランプであり、各発光管の環に沿った平面に対して直交する向きの口金ピンを含む単一の口金部２１を有し、器具本体１０の下面側周囲部には、環状蛍光ランプ口金部２１と着脱自在に結合する複数のランプソケット１１を有する環状蛍光灯器具において、第２図に示すように器具本体１０周囲部に配置したランプソケット１１に、器具本体１０中央部から見て環状蛍光ランプ２０における環中心が速くに位置し、口金部２１が近くに位置するように環状蛍光ランプ２０を配置する。これにより、環状蛍光ランプ２０は、器具本体１０中央部から放射状に配置される。
図３には、異なるワット数の環状蛍光ランプを器具本体の中心と同心上に配置して高照度化する従来の環状蛍光灯器具を示す。
その他の実施例として、図４に示すように、異なるワット数の環状蛍光ランプ３０を組合せることも可能である。
なお、環状蛍光ランプ２０及び３０の保持方法については、アーム状のランプホルダ等により、本体１０に対し着脱自在に保持できる構造を採用するものである。
【０００８】
【発明の効果】
異なるワット数の環状蛍光ランプを器具本体の中心と同心上に配置して高照度化する従来の環状蛍光灯器具と比べて広範囲への照射が可能となる。また、各環状蛍光ランプが同じ高さに配置出来るので、器具の薄形化が可能である。また、各環状蛍光ランプの配置の自由度が高いので、更なる高照度化が可能である。また、様々なワット数の環状蛍光ランプを組合せて配置出来るので、器具の多様化が図れる。
【図面の簡単な説明】
【図１】本発明による環状蛍光灯器具の側面外観図である。
【図２】その下面外観である。
【図３】本発明の他の実施例器具の下面外観である。
【符号の説明】
１０…器具本体、１１…ランプソケット、２０…環状蛍光ランプ、２１…口金部３０…異なるワット数の環状蛍光ランプ
【図１】
2004127879.tif 000003
【図２】
2004127879.tif 000004
【図３】
2004127879.tif 000005
【図４】
2004127879.tif 000006
【手続補正書】
【提出日】平成14年12月16日(2002.12.16)
【手続補正１】
【補正対象書類名】明細書
【補正対象項目名】図面の簡単な説明
【補正方法】変更
【補正の内容】
【図面の簡単な説明】
【図１】本発明による環状蛍光灯器具の側面外観図である。
【図２】その下面外観である。
【図３】従来の環状蛍光灯器具の側面外観図である。
【図４】本発明の他の実施例器具の下面外観である。
【符号の説明】
１０…器具本体、１１…ランプソケット、２０…環状蛍光ランプ、２１…口金部３０…異なるワット数の環状蛍光ランプ
(57)【要約】【課題】従来の技術にあるような前記曲げ片に設けられた圧接部の先端部を取扱上安全なものとし、且つ前記器具本体と前記反射板とを確実に電気的に接続する構造にを提供する。【解決手段】反射板４０の塗装膜を剥離し圧接する弾性帯状金具３０に設けられた反射板４０の方向へ向かう折り曲げ片３１の圧接部の先端部を鋭利ではない形状とし、取扱上の安全性を向上させ、且つ先端部における両角部のうちの一方が前記反射板の側面に圧接するよう折り曲げ方向を定め圧接力を増加させることにより、前記反射板４０の塗装膜を確実に剥離し前記器具本体１０と前記反射板４０とを電気的に確実に接続する。【選択図】　　図１
2004127878.tif 000002
【特許請求の範囲】
【請求項１】
長尺な器具本体を備え、前記器具本体の下面側に固定する反射板取付台を備え、断面がほぼＶ形を呈する長尺な反射板を備え、前記反射板の中央稜線箇所を下側から前記反射板取付台の中央箇所へ着脱自在に連結するターンファスナを備え、前記ターンファスナはそれをほぼ１／４回転させることによって前記着脱がなされる構造であり、前記反射板取付台の中央箇所に装着され前記器具本体の短手方向に延在する弾性帯状金具を備え、前記弾性帯状金具における端部の短手方向（前記器具本体の長手方向）に沿った両側に前記反射板の方向へ向かう折り曲げ片を形成し、前記各折り曲げ片先端部における両角部のうちの一方が前記反射板の側面に圧接するように前記弾性帯状金具の前記折り曲げ方向を定めたことを特徴とする逆富士形蛍光灯器具。
【発明の詳細な説明】
【０００１】
【発明の属する技術分野】
本発明は蛍光灯器具における、器具本体と反射板の電気的接続構造に関する。
【０００２】
【従来の技術】
器具本体と前記反射板との電気的接続を得るためには、弾性帯状金具に反射板の方向へ向かう折り曲げ片にて前記反射板の塗装膜を剥離し圧接する必要がある。そのため前記曲げ片は性質上、圧接部の先端部が鋭利となり取扱上充分に安全ではなかった。
【０００３】
【発明が解決しようとする課題】
前記従来の技術にあるような前記曲げ片に設けられた圧接部の先端部を取扱上安全なものとし、且つ前記器具本体と前記反射板とを確実に電気的に接続する構造にある。
【０００４】
【課題を解決するための手段】
前記反射板の塗装膜を剥離し圧接する前記弾性帯状金具に設けられた前記反射板の方向へ向かう折り曲げ片の圧接部の先端部を鋭利ではない形状とし、取扱上の安全性を向上させ、且つ先端部における両角部のうちの一方が前記反射板の側面に圧接するよう折り曲げ方向を定め圧接力を増加させることにより、前記反射板の塗装膜を確実に剥離し前記器具本体と前記反射板とを電気的に確実に接続する構造とする。
【０００５】
【発明の実施の形態】
図１〜図４を用いて本発明の実施形態について説明する。図示器具は、長尺な器具本体１０を備え、前記器具本体１０の下面側に固定する反射板取付台２０を備え、断面がほぼＶ形を呈する長尺な反射板４０を備え、前記反射板４０の中央稜線箇所を下側から前記反射板取付台２０の中央箇所２１へ着脱自在に連結するターンファスナ５０を備え、前記ターンファスナ５０はそれをほぼ１／４回転させることによって前記着脱がなされる構造であり、前記反射板取付台２０の中央箇所２１）に装着され前記器具本体１０の短手方向に延在する弾性帯状金具３０を備え、前記弾性帯状金具３０における端部の短手方向に沿った両側に前記反射板４０の方向へ向かう先端部が鋭利ではない折り曲げ片３１を形成し、前記各折り曲げ片３１先端部における両角部３２のうちの一方が前記反射板４０）の側面に圧接するように前記弾性帯状金具３０の前記折り曲げ方向を定めることにより、取扱上けがの原因となることもなく安全で有り、且つ先端部における両端角３２のうち一方のみで前記反射板４０の側面に圧接するため、圧接力が向上することにより、前記反射板４０の塗装膜を確実に剥離し前記器具本体１０と前記反射板４０とを電気的に確実に接続できる。
【０００６】
【発明の効果】
本発明は以上に説明したように構成されているので以下に記載される効果を奏する。前記弾性帯状金具に設けられた折り曲げ片を鋭利ではない形状にできるため安全性向上の効果がある。また前記折り曲げ片の先端部における両端角のうち一方のみで、前記反射板の側面に圧接することにより圧接力が向上し前記反射板の塗装膜を確実に剥離し前記器具本体と前記反射板とを電気的に確実に接続する効果がある。
【図面の簡単な説明】
【図１】本発明に係る反射板取付図（器具断面図）である。
【図２】その反射板取付図（前図）である。
【図３】その反射板取付図（後図）である。
【図４】その弾性帯状金具折り曲げ片の先端部詳細図である。
【符号の説明】
１０：器具本体
２０：反射板取付台
２１：反射板取付台の中央箇所
３０：弾性帯状金具
３１：折り曲げ片
３２：両端角
４０：反射板
【図１】
2004127878.tif 000003
【図２】
2004127878.tif 000004
【図３】
2004127878.tif 000005
【手続補正書】
【提出日】平成14年12月16日(2002.12.16)
【手続補正１】
【補正対象書類名】明細書
【補正対象項目名】図面の簡単な説明
【補正方法】変更
【補正の内容】
【図面の簡単な説明】
【図１】本発明に係る反射板取付図（器具断面図）である。
【図２】その反射板取付図（前図）である。
【図３】その反射板取付図（後図）である。
【符号の説明】
１０：器具本体
２０：反射板取付台
２１：反射板取付台の中央箇所
３０：弾性帯状金具
３１：折り曲げ片
３２：両端角
４０：反射板
(57)【要約】【課題】この発明は、コンセントの雄型の保持部分をカバーする覆いの端に、雌型コンセントが埋め込まれた壁面に接着する面を設け、塵、埃、水分の付着を防ぎ、いわゆるトラッキング現象が原因の発火による火災事故を防止するコンセントに関するものである。【解決手段】コンセント雄型の本体（１）を、上面及び両側面をコの字型に覆うカバーの端に接着面（３）を設け、同面に接着剤（４）を塗布し、雌型コンセントの壁面に圧着する。【選択図】図３
2004127875.tif 000002
【特許請求の範囲】
【請求項１】
（イ）ゴム等の軟性材質により、雄型コンセントの上面及び両側面を覆う、断面がコの字型のコンセントカバーの先端に、雌型コンセントが埋め込まれた壁面に対面して平行した壁面への接着面を設ける。
（ロ）接着面に接着剤を塗布し、あて紙を貼付する。
【発明の詳細な説明】
【０００１】
【発明の属する技術分野】
この発明は、雄型コンセントの保持部分を覆うカバーを設け、塵、埃、水分の付着を防止するものである。
【０００２】
【従来の技術】
従来より通電用のコンセントはあったが、長年差し込んだまま放置した場合、緩んだ接合部分に塵、埃、が付着し、とくに湿気の多い梅雨時や液体の付着によるトラブルで、ショートから発火に至るトラッキング現象を引き起こす可能性があるものであった。
【０００３】
【発明が解決しようとする課題】
本案はその欠点を除いて、使用に伴い、雄・雌コンセントの接続箇所を覆うカバーにより、発火の原因である塵、埃、水分の付着を防止し、火災事故を防止しようとするものである。
【０００４】
【課題を解決するための手段】
その解決手段を図面により説明すれば、
（イ）雄型コンセントの保持部分（１）の上部及び両側面を覆うゴム等の軟性のカバー（２）を設け、片方の端を直角に立てた接着面（３）を設ける。
（ロ）接着面には接着剤（４）を塗布し、他への接着を防止する剥がしつまみの付いたあて紙（５）を貼付する。
【０００５】
【発明の実施の形態】
本案は、以上のような構造であるから、これを使用するときは、雄型コンセントの保持部分を、本案のカバーで覆い、あて紙を取り除いた後、壁面にある雌型コンセントに差し込み、指先等の圧力で壁面に完全に貼付する。
【０００６】
【発明の効果】
従って、隙間のないカバーにより、塵、埃、水分の付着進入を防ぎ、いわゆるトラッキング現象による発火が原因の火災を防止することができる。
【図面の簡単な説明】
【図１】本発明の、発火防止コンセントカバーの斜視図
【図２】本発明の、発火防止コンセントカバーの接着剤塗布部分と、あて紙の貼付を示す斜視図
【図３】本発明の、発火防止コンセントカバーが、雄型コンセントに取り付けられた、壁面に貼付する直前の斜視図
【符号の説明】
１は雄型コンセント本体　　　　　　　４は接着剤
２は軟性のカバー　　　　　　　　　　５はあて紙
３は２に連なる接着剤塗布用垂直面
【図１】
2004127875.tif 000003
【図２】
2004127875.tif 000004
【図３】
2004127875.tif 000005